(57)【要約】【課題】情報伝送用チャネルを固定割付けと任意割付のいずれにも簡単に対応できるチャネル割付システムを提供する。【解決手段】従来の制御用チャネルによるチャネル割付処理のプログラムの冒頭部分に、固定割付けと任意割付けのいずれが指定されているかを示すフラグを参照するステップを設け、任意割付けが指定されている場合は従来の方式での制御用チャネルによるチャネル割付処理を行い、固定割付けが指定されている場合には、さらにチャネルの割付テーブルを参照して情報種別に対応したチャネルを指定するようにする。【選択図】　図４
2004146979.tif 000002
【特許請求の範囲】
【請求項１】
移動局からの送信要求に対応して基地局からチャネルを割り付ける無線チャネル割付方式において、基地局は送信要求の情報種別に対応して固定的にチャネルを割り付けることを特徴とする無線チャネル割付方式。
【請求項２】
移動局からの送信要求に対応して基地局からチャネルを割付ける無線チャネル割付方式において、基地局は送信要求の情報種別に対応して固定的にチャネルを割り付けるか、情報種別に対応したチャネルが空いているか否かを判定して移動局と連絡を取ってチャネルを割り付けるかを基地局のフラグの設定に応じて決定してチャネルを割り付けることを特徴とする無線チャネル割付方式。
【請求項３】
移動局からの送信要求に対応して基地局からチャネルを割付ける無線チャネル割付方式において、基地局は送信要求の情報種別に対応して固定的にチャネルを割り付けるか、情報種別に対応したチャネルが空いているか否かを判定して移動局と連絡を取ってチャネルを割り付けるかを基地局のフラグの設定に応じて決定してチャネルを割り付ける機能を有し、送信要求を受けた移動局に対応するフラグに応じてチャネルを割り付けることを特徴とする無線チャネル割付方式。
【発明の詳細な説明】
【０００１】
【発明の属する技術分野】
本発明は、デジタル無線システム等の移動無線システムのチャネル割付システムに関するものである。
【０００２】
【従来の技術】
デジタル無線システム等の移動無線システムでは、従来、多数の情報を限られたチャネルで伝送するために、チャネルを任意に割付るための制御専用のチャネルを設けて、チャネルの割付を制御していた。そのため、小規模の移動無線システムでＴＤＭＡ方式とされている場合に、伝送すべき情報が４チャネルで足りる場合には、制御専用のチャネルが無ければ１周波（４チャネル）で済むのに、２周波が必要になる不都合があった。
【０００３】
【発明が解決しようとする課題】
従来、制御用チャネルによるチャネル割付が行われるのは、多数の情報を限られたチャネルで伝送することを前提としているからであり、ＴＤＭＡ方式の１周波（４チャネル）で済む程度の情報であれば、固定的に割り付けるだけでも良い筈である。
【０００４】
本発明は、このような不都合をなくすために、情報伝送用チャネルを固定的に割り付け可能にするとともに、従来の制御用チャネルによるチャネル割付処理のプログラムの部分的変更でこれに対応するものとして、固定割付けと任意割付のいずれにも簡単に対応できるチャネル割付システムを提供するものである。さらには、固定割付けと任意割付とが混在する形ででもシステム構成ができる移動無線システムのチャネル割付システムを提供するものである。
【０００５】
【課題を解決するための手段】
従来の制御用チャネルによるチャネル割付処理のプログラムの冒頭部分に、固定割付けと任意割付けのいずれが指定されているかを示すフラグを参照するステップを設け、任意割付けが指定されている場合は従来の方式での制御用チャネルによるチャネル割付処理を行い、固定割付けが指定されている場合には、さらにチャネルの割付テーブルを参照して情報種別に対応したチャネルを指定するようにする。
【０００６】
【発明の実施の形態】
図１は本発明の対象となる移動無線システムの概念図である。１、２は移動局であり、３は基地局である。各移動局１、２と基地局と３は、たとえば、ＴＤＭＡ方式の伝送路４、５で結ばれる。図では、移動局１が音声情報、データ情報および保守情報を持ち、移動局２が音声情報、データ１情報、データ２情報および保守情報を持っている例を示す。ＴＤＭＡ方式の伝送路で周波は１波しか割り当てが無く４チャネルしか取れない場合を考えると、移動局１のように３つの情報しかない持たない移動局と基地局とで構成されているシステムの場合には、同時に送信要求があっても割付可能である。しかし、移動局２のように、割付可能なチャネル数を超える４つの情報を持つ移動局と基地局とで構成されているシステムの場合には、同時に送信要求があったときには、同時には割付不可能となり、１つの情報、例えば、保守情報は他の情報の伝送が終了して伝送路が空くのを待って送信せざるを得ないことになる。
【０００７】
図２は、チャネルと情報の種別との対応の例を示す表である。従来の任意割付方式では制御用に１チャネル（チャネル番号１）が専用に割り付けられているため、移動局２に対して残りの３チャネルを送信要求に応じて実時間で割り付けることになる。一方、固定割付けとしておけば、制御チャネルは不要となるから、移動局２に対して、４チャネルのそれぞれを各情報の送信要求に対して情報の種別に応じて機械的に割り付けることができる。この場合、移動局も情報の種別に応じて使用するチャネルを割り付けるものとしておくことは当然である。
【０００８】
図３（Ａ）、（Ｂ）は基地局３における任意割付方式および固定割付方式のチャネル割付処理プログラムの例を示す図である。
【０００９】
図３（Ａ）は基地局３における任意割付方式のチャネル割付処理のプログラム処理を示す図である。ステップ３１１で移動局からの送信要求に応じて、送信要求の情報の種類に対応したチャネルの空きを調べて指定できるチャネル番号を選択する。ステップ３１２では、ステップ３１１でチャネル番号が選択できたか否か調べる。チャネル番号が選択できたときは、ステップ３１３で、選択されたチャネル番号を制御チャネルにより移動局に通知する。その結果、この選択されたチャネルを使用して、ステップ３１４で、基地局と移動局間の通信路が設定され情報の通信が行われる。チャネル番号が選択できなかったブロック処理のステップ３１５に移り、移動局に対して通信不能を通知する。この処理フローは、従来の任意割付方式のチャネル割付処理のプログラムとしては一般的なものである。
【００１０】
図３（Ｂ）は基地局３における固定割付方式のチャネル割付処理のプログラム処理を示す図である。ステップ３２１で移動局からの送信要求に応じて、送信要求の情報の種類に対応して、予め選定されているチャネル番号を設定する。移動局でも、この情報の種類に対応したチャネルが設定されているから、この選択されたチャネルを使用して、ステップ３２２で、基地局と移動局間の通信路が設定され情報の通信が行われる。この場合、送信要求の情報の種類に対応したチャネル番号は基地局３の制御装置のＣＰＵがＲＯＭからテーブルルックアップ方式で設定できるようにすれば良い。
【００１１】
このように、任意割付方式および固定割付方式のチャネル割付処理プログラムのいずれでも採用することができるが、システムを製作して提供する立場から見ると、その都度、異なったプログラムで製作納品するのは煩雑であるので、できれば、統合されたものとして作製できる方が良い。
【００１２】
図４は、本発明のチャネル割付処理プログラムの実施例を示すフロー図であり、フラグの設定のみで、任意割付方式および固定割付方式のいずれにも対応できる。
【００１３】
ステップ４１で、移動局からの送信要求に応じて、方式選択フラグが”１”か”０”かを調べる。方式選択フラグが”１”になっているときは、任意割付方式が選択されることを意味するので、ステップ４２に進む。ステップ４２以下ステップ４６までは、図３（Ａ）のステップ３１１以下ステップ３１５と対比して明らかなように、従来技術として説明した任意割付方式によるチャネルの選択および通信路の設定が進む。一方、方式選択フラグが”０”になっているときは、固定割付方式が選択されることを意味するので、ステップ４７に進む。ステップ４７は、図３（Ｂ）のステップ３２１と対比して明らかなように、固定割付方式によるチャネルの設定と同じである。ステップ４７でチャネルの設定が行われれば、移動局で、情報の種別に応じて予め割り付けられているチャネルを使用するものとしてステップ４５において通信路の設定が進む。
【００１４】
このように、本発明のチャネル割付処理プログラムによれば、プログラムの冒頭で任意割付方式および固定割付方式のいずれかを指定するフラグを参照して、この内容に応じたいずれのチャネル割付にも対応できる。しかも、そのチャネル割付処理プログラムは、実質的に、一般的な従来の任意割付方式のチャネル割付処理のプログラムの部分変更にすぎない。
【００１５】
図５（Ａ）、（Ｂ）および（Ｃ）は、図４で説明した本発明のチャネル割付処理プログラムの実行可能な基地局３の制御装置５０の構成の概略を示すブロック図、チャネル番号と情報の種別との対応を示すテーブルの例および任意割付方式および固定割付方式のいずれかを指定するフラグを示すテーブルの例である。
【００１６】
制御装置５０はバスＢに接続されたＣＰＵ５１、読み出し専用メモリのＲＯＭ５２、データ信号の書き込みと読み出し可能なメモリのＲＡＭ５３およびＩ／Ｏポート５４とよりなる。ＲＯＭ５２には、基地局３の動作全体を統括するためのプログラムが格納されるとともに、図５（Ｂ）および（Ｃ）に示すテーブルも格納される。ＲＡＭ５３には授受される信号が一時的に記憶される。Ｉ／Ｏポート５４は基地局３が移動局１，２あるいは図示しない固定局と信号を授受するためのポートである。
【００１７】
ＣＰＵ５１は送信要求を受けたとき、ステップ４１で、ＲＯＭ５２から図５（Ｃ）のテーブルを参照して、装置が任意割付方式および固定割付方式のいずれに指定されているかを知ることができる。図５（Ｃ）のフラグが”１”であれば、ステップ４２から４６の任意割付方式が実行され、図５（Ｃ）のフラグが”０”であれば、ステップ４７で、図５（Ｂ）のテーブルを参照して送信要求の情報種別に対応したチャネルを設定する。次いで、ステップ４５に移って、設定されたチャネルにより通信路を設定する。
【００１８】
このように、本発明によれば、基地局３のＲＯＭ５２に設定するフラグのみで任意割付方式および固定割付方式のいずれにも対応できる。フラグに”１”が設定され、任意割付方式が選択されるときは、ＲＯＭ５２には図５（Ｂ）のテーブルは不要であるが、装置をいずれにも対応できる統一的なものとするためには備えているものとすれば良い。このことにより装置の動作には何らの支障も生じない。
【００１９】
さらに、本発明によるときは、移動局は情報数が少ないとき、予め情報種別に応じてチャネルを割り付けることとしておけば、いずれの方式に対しても同じ対応で良いから、装置をいずれにも対応できる統一的なものとすることができる。
【００２０】
上述の実施例は、システムが任意割付方式および固定割付方式のいずれかで構成されているものとなっているが、本発明は、任意割付方式および固定割付方式の移動局が混在するシステムに対しても適用できる。すなわち、情報数が少なく固定割付方式とする方が有利な移動局と、情報数が多く任意割付方式とする方が有利な移動局とが混在する移動無線システムに対しても適用可能である。
【００２１】
図６は、その場合のフラグを示す表の例である。移動局１および移動局５が固定割付方式とする方が有利な移動局であり、移動局２−移動局４が任意割付方式とする方が有利な移動局の例である。図５に例示したフラグを、図６に示すように送信要求を送信した移動局に対応して”１”または”０”と設定しておくことにより、基地局では、図４に示すフローのステップ４１で移動局に対応した固定割付方式または任意割付方式を選択することができる。なお、この場合、図５に示したチャネルの割付テーブルも、必要なら、固定割付方式が採用される移動局に対応して、個別に参照できるようにすれば良い。
【００２２】
【発明の効果】
本発明によれば、装置の変更を必要とせずに、フラグの設定のみで任意割付方式および固定割付方式のいずれにも対応できるシステム、さらには、これらが混在するシステムにも対応できるシステムを提供できる。
【図面の簡単な説明】
【図１】本発明の対象となる移動無線システムの概念図。
【図２】チャネルと情報の種別との対応の例を示す表。
【図３】（Ａ）、（Ｂ）は基地局３における任意割付方式および固定割付方式のチャネル割付処理プログラムの例を示す図。
【図４】本発明のチャネル割付処理プログラムの実施例を示すフロー図。
【図５】（Ａ）、（Ｂ）および（Ｃ）は、図４で説明した本発明のチャネル割付処理プログラムの実行可能な基地局３の制御装置５０の構成の概略を示すブロック図、チャネル番号と情報の種別との対応を示すテーブルの例および任意割付方式および固定割付方式のいずれかを指定するフラグを示すテーブルの例。
【図６】移動局と任意割付方式および固定割付方式のいずれかを指定するフラグとの対応を示す表の例。
【符号の説明】
１，２：移動局、３：基地局、４，５：伝送路、３１１−３２２，４１−４７：処理ステップ、５０：制御装置、Ｂ：バス、５１：ＣＰＵ、５２：ＲＯＭ、５３：ＲＡＭ、５４：Ｉ／Ｏポート。
【図１】
2004146979.tif 000003
【図２】
2004146979.tif 000004
【図３】
2004146979.tif 000005
【図４】
2004146979.tif 000006
【図５】
2004146979.tif 000007
【図６】
2004146979.tif 000008